(57)【特許請求の範囲】
【請求項１】
背面板の前方にラベル挿入保持用の小間隙を介してラベル視認用の窓部を有する前面枠を配設したラベルホルダーであって、ラベル挿入保持用の小間隙の入口付近において、背面板の前面部の横方向の全長にわたり縦断面が湾曲したラベル挿入ガイド溝部を形成し、窓部に対向する背面板の前面部の部位にラベル挿入ガイド溝部に交差した指掛用縦溝部を設けて成ることを特徴とするラベルホルダー。
【請求項２】
指掛用縦溝部の底がラベル挿入ガイド溝部の底よりも深いことを特徴とする請求項１記載のラベルホルダー。
【請求項３】
指掛用縦溝部内の両側部を溝底側に向かって傾斜した傾斜面として指掛用縦溝部を溝底側が巾狭で前方開口側が巾広とすることを特徴とする請求項１又は請求項２記載のラベルホルダー。
【請求項４】
背面板の下端と前面枠の下端とをヒンジ部を介して折り曲げ自在に連結し、背面板乃至前面枠のいずれか一方に設けた位置決め突部をいずれか他方に設けた位置決め凹部に嵌め込んで背面板と前面枠との間にラベル挿入保持用の小間隙を形成して成ることを特徴とする請求項１記載のラベルホルダー。
【発明の詳細な説明】
【０００１】
【発明の属する技術分野】
本発明は、ラベルホルダーに関するものである。
【０００２】
【従来の技術】
従来からコンテナ（折り畳みコンテナも含む）の側面に、運搬先、物品名等を表示するためのラベル（カードを含むものとする）を貼り付けたり、あるいはコンテナに取付けたホルダーにラベルを差し込んで保持させている。
【０００３】
上記の従来例のうちラベルを貼り付けるものは、ラベルを剥がして貼り替えるのが面倒であり、また、貼り跡が汚いという問題がある。
【０００４】
また、コンテナに取付けたホルダーにラベルを差し込んで保持させるものとして、従来からホルダーに弾性挟持片を設けてラベルを弾性挟持片で挟持するものが知られている。ところが、この従来例にあっては、弾性挟持片の弾性押圧力に抗してラベルを差し込む必要があり、このため、ラベルが比較的厚くて変形しにくいものの場合には、ラベルにより弾性挟持片を押し広げながら差し込むことができるが、薄く、しかも柔らかいラベルの場合、丸まってしまい、弾性挟持片を押し広げながら差し込むことが困難であり、無理して差し込むと、ラベルが丸まってくしゃくしゃになってしまうという問題があり、作業者の目視によるチェックや光電発信装置等による自動読み取りができないという問題があり、また、薄くて柔らかいラベルは取り外しも面倒である。
【０００５】
【発明が解決しようとする課題】
本発明は上記の点に鑑みてなされたものであり、薄くて柔らかいラベルであっても、簡単且つ正確に差し込むことができ、また、ラベルの取り外しに当たって指により簡単、確実に取り外すことができ、また、構成が簡単なラベルホルダーを提供することを課題とするものである。
【０００６】
【課題を解決するための手段】
上記課題を解決するために本発明に係るラベルホルダーは、背面板１の前方にラベル挿入保持用の小間隙２を介してラベル視認用の窓部３を有する前面枠４を配設したラベルホルダー５であって、ラベル挿入保持用の小間隙２の入口付近において、背面板１の前面部の横方向の全長にわたり縦断面が湾曲したラベル挿入ガイド溝部６を形成し、窓部３に対向する背面板１の前面部の部位にラベル挿入ガイド溝部６に交差した指掛用縦溝部７を設けて成ることを特徴とするものである。このような構成とすることで、ラベル挿入保持用の小間隙２の入口から硬いラベル１２を差し込み挿入することができるのはもちろんのこと、薄くて柔らかいラベル１２であっても、ラベル挿入保持用の小間隙２の入口において湾曲したラベル挿入ガイド溝部６に沿うようにして差し込むことで、スムーズにラベル１２をラベル挿入保持用の小間隙２に挿入して保持させることができるものである。そして、ラベル挿入保持用の小間隙２に挿入保持させたラベル１２を取り外す際、指をラベル１２の上から指掛用縦溝部７に押し当てると、指掛用縦溝部７部分でラベル１２が指掛用縦溝部７の底に沿うように変形して指でラベル１２を指掛用縦溝部７の底に強く押し当てることができ、この状態で上方に移動させることで、ラベル１２を上方に移動させて取り出すことができるものである。
【０００７】
また、指掛用縦溝部７の底がラベル挿入ガイド溝部６の底よりも深いことが好ましい。このような構成とすることで、指をラベル１２の上からラベル挿入ガイド溝部６に交差した指掛用縦溝部７に押し当てると、指掛用縦溝部７部分でラベル１２が指掛用縦溝部７の底に沿うように変形し、この指の押し当てによるラベル１２の変形がラベル挿入ガイド溝部６と交差する部分においても生じ、これにより指でラベル１２を指掛用縦溝部７の底に強く押し当てて上方に移動させることができるものである。
【０００８】
また、指掛用縦溝部７内の両側部を溝底側に向かって傾斜した傾斜面７ａとして指掛用縦溝部７を溝底側が巾狭で前方開口側が巾広とすることが好ましい。このような構成とすることで、指をラベル１２を介して指掛用縦溝部７の内面にぴったりと押し当てることができて、指でラベル１２を指掛用縦溝部７の底面及び側面に強く押し当てて上方に移動させることができるものであると共に、バーコード表示等のされたラベルを指を介して上方に移動させる際に、ラベルに折れ線等がつくことがないのである。このような構成とすることによって、ラベルの読み誤りがなくなるのである。
【０００９】
また、背面板１の下端と前面枠４の下端とをヒンジ部１１を介して折り曲げ自在に連結し、背面板１乃至前面枠４のいずれか一方に設けた位置決め突部９をいずれか他方に設けた位置決め凹部１０に嵌め込んで背面板１と前面枠４との間にラベル挿入保持用の小間隙２を形成することが好ましい。このような構成とすることで、ヒンジ部１１部分で背面板１と前面枠４とを折り曲げるとともに位置決め突部９を位置決め凹部１０に嵌め込むことで、背面板１と前面枠４との位置決めをして正確な隙間巾となったラベル挿入保持用の小間隙２を有するラベルホルダー５を構成することができるものである。
【００１０】
【発明の実施の形態】
以下、本発明を添付図面に示す実施形態に基づいて説明する。
【００１１】
本発明のラベルホルダー５は、背面板１と前面枠４とで主体が構成してある。背面板１の下端と前面枠４の下端とはヒンジ部１１を介して合成樹脂により一体に形成してあり、ヒンジ部１１部分で折り曲げ自在となっている。図１にはラベルホルダー５の組み合わせ状態を示す正面図が示してあり、図５、図６にはラベルホルダー５を展開した状態の正面図や、背面図等が示してある。
【００１２】
表面枠４には図５、図６の展開図に示すようにラベル視認用の窓部３が設けてあり、このラベル視認用の窓部３は上端縁からＵ字状に切欠して形成してある。表面枠４の下端縁部及び両側縁部にはそれぞれ背方に向けて突条部１３が突設してあり、表面枠４の両側縁部の突条部１３の上下両端部からそれぞれ外側方に向けて固定片１４が突設してある。固定片１４には溶着用の小穴部１５が設けてある。表面枠４の下端縁部及び両側縁部のうち固定片１４を設けた部分における突条部１３は背方への突出長さが同じとなっているが、表面枠４の両側縁部のうち固定片１４間における突条部１３は突条部１３の他の部分に比べて背方への突出長さが少し短くなっており、この突条部１３の短い突出長さの部分が位置決め突部９となっている。また、表面枠４の背面側の上端部は傾斜したガイド面１８となっている。
【００１３】
背面板１は前面枠４よりも上下方向の長さが長くなっていてヒンジ部１１部分で折り曲げて背面板１と前面枠４とを対向させた場合、背面板１の上端部が前面枠４の上端部よりも上方に突出していてこの背面板１の上端部の上方に突出した部分が上突出片１６となっている。背面板１の両側縁間の長さ（つまり左右方向の長さ）は表面枠４の両側縁部の突条部１３間の長さと略一致している。つまり、ヒンジ部１１部分で折り曲げた場合、図４に示すように、背面板１が前面枠４の突条部１３間に嵌め込まれるようになっている。背面板１の両側縁部から外側方に向けて側方突出片１７が突設してあり、この側方突出片１７の突出基部の前面部に上下方向に長くなった縦溝状をした位置決め凹部１０が設けてある。そして、上記のようにヒンジ部１１部分で折り曲げた場合に背面板１を前面枠４の突条部１３間に嵌め込んだ状態で、図４のように位置決め用凹部１０に位置決め用突部９が嵌め込まれ、これにより背面板１に対する前面枠４の位置決めがなされて、背面板１の前面と前面枠４の背面との間に一定幅のラベル挿入保持用の小間隙２が形成されるものである。
【００１４】
背面板１の上部の前面部には横方向の全長にわたり縦断面が弧状に湾曲したラベル挿入ガイド溝部６を形成してある。このラベル挿入ガイド溝部６は上記ラベル挿入保持用の小間隙２の入口付近に設けられるものであり、具体的には弧状に湾曲したラベル挿入ガイド溝部６の上半分がラベル挿入保持用の小間隙２の入口（つまり前面枠４の上端）よりも上方に位置し且つ弧状に湾曲したラベル挿入ガイド溝部６の下半分がラベル挿入保持用の小間隙２の入口よりも下方に位置するように設けられる。
【００１５】
また、窓部３に対向する背面板１の前面部の部位にはラベル挿入ガイド溝部６に対して十字状に交差した指掛用縦溝部７を設けてある。指掛用縦溝部７の底はラベル挿入ガイド溝部６の底よりも深くなっており、また、指掛用縦溝部７内の両側部を溝底側に向かって傾斜した傾斜面７ａとしてあって指掛用縦溝部７を溝底側が巾狭で前方開口側が巾広としてある。ここで、指掛用縦溝部７内の下部も同じ傾斜面７ａとなっている。このように、指掛用縦溝部７内の両側部及び下部を溝底側に向かって下り傾斜した傾斜面７ａとすることで、指掛用縦溝部７に指をほぼぴったりと位置させることができるようになっている。
【００１６】
背面板１の窓部３に対向する部位には溶着用の小穴部１５ａを設けた溶着部１９が設けてある。
【００１７】
しかして、上記のような構成のラベルホルダー５は、ヒンジ部１１部分で折り曲げて背面板１の前方にラベル挿入保持用の小間隙２を介して前面枠４を近接対向させるように組み合わせた状態で、コンテナ２０の側面に取付けて使用するものである。ラベルホルダー５の取付けに当たっては、ヒンジ部１１部分で折り曲げて背面板１の前方にラベル挿入保持用の小間隙２を介して前面枠４を近接対向させるように組み合わせた状態のラベルホルダー５を、前面枠４の固定片１４部分をコンテナ２０の側面に溶着することで取付けるものである。この場合、固定片１４部分をコンテナ２０の側面に溶着することで、位置決め用突部９が位置決め用凹部１０の底を押し付け、これにより背面板１がコンテナ２０の側面に押し付けられて背面板１が前後方向にがたつかずにラベル挿入保持用の小間隙２の隙間巾を設計通りの一定に確保でき（例えば１ｍｍに確保でき）、また、位置決め用突部９が位置決め用凹部１０に嵌め込まれることで左右方向にもがたつかないことになる。このように固定片１４部分をコンテナ２０の側面に溶着することのみでラベルホルダー５のコンテナ２０の側面への取付けを完了してもよいが、更にこれに加えて、背面板１の窓部３に対向する部位に設けた溶着部１９部分をコンテナ２０の側面に溶着してもよく、この場合には背面板１もコンテナ２０の側面に溶着するのでより確実に取付けができ、ラベル挿入保持用の小間隙２の隙間巾を正確な寸法に確保できるものである。もちろん、上部の左右の固定片１４と溶着部１９との３点でコンテナ２０の側面に溶着してもよいものである。溶着に当たっては、溶着用の小穴部１５、１５ａを利用してこの部分に溶着装置を当てて行うものである。また、溶着部１９を溶着する場合には窓部３から溶着装置を入れて溶着作業を行うことで、前面枠４に邪魔されることなく背面板１を溶着できるものである。
【００１８】
ラベルホルダー５を取付けるコンテナ２０としては一般の非折り畳み式のコンテナ２０だけでなく、折り畳みコンテナ２０であってもよいものである。
【００１９】
図７乃至図９には折り畳みコンテナ２０にラベルホルダー５を取付ける例を示している。折り畳みコンテナ２０は従来から公知のもので、その構造は、矩形状の底板２１と、底板２１の上方に配置した矩形状の口枠２２と、底板２１と口枠２２との間に両端に配置した短側板２３とを具備しており、短側板２３の上端を口枠２２に回転自在に連結して短側板２３を起倒自在とし、長側板２４を上半分の上長側板２５と下半分の下長側板２６とで構成し、上長側板２５の上端を口枠２２に回転自在に連結すると共に下長側板２６を底板２１に回転自在に連結し、上長側板２５の下端と下長側板２６の下端とを連結部２７を介して回転自在に連結してある。
【００２０】
この折り畳みコンテナ２０は短側板２３を起立させるとともに長側板２４を縦方向展延して起立させることで図８（ａ）のように箱状とし、短側板２３を倒し、上長側板２５、下長側板２６を折り畳むことで、下長側板２６の上に上長側板２５を重ね、更に上長側板２５の上に短側板２３を重ねるというようにして折り畳みコンテナ２０全体を図８（ｂ）のようにコンパクトに折り畳むものである。なお、この折り畳みコンテナ２０の具体的構成については折り畳みコンテナ２０の基本的構成が既に公知であるので、詳細は省略する。しかしながら、本発明に用いる折り畳みコンテナ２０は図８に示すように、上長側板２５の外面及び下長側板２６の外面及び短側板２３の外面のうちのいずれか又は全部に内側に凹んだ凹所２８が形成してある。
【００２１】
そして、本発明のラベルホルダー５は上長側板２５の外面の凹所２８又は下長側板２６の外面の凹所２８又は短側板２３の外面の凹所２８に位置させて前述のように溶着により上長側板２５又は下長側板２６又は側単板２３に取付けるものである。ここで、ラベルホルダー５の前後方向の巾は凹所２８の深さ以下とするものであり、これにより折り畳みコンテナ２０にラベルホルダー５を取付けたにも係わらず、図９に示すようにラベルホルダー５が凹所２８の開口端よりも外方に飛び出すことがなく、したがって、図８（ｂ）に示すように、折り畳んだ場合にラベルホルダー５に邪魔されることなく折り畳みコンテナ２０を折り畳むことができるものである。
【００２２】
なお、凹所２８内の上面と底面との間のなすコーナ部分を傾斜部３２としたものの場合、背面板１の上突出片１６の背面上端部を傾斜面８としておくことで、図９、図１１、図１２に示すように傾斜面８を傾斜部３２に対向させることで、ラベルホルダー５を凹所２８内の上面と底面との間のなすコーナ部分に近づけて取付けることができるものである。
【００２３】
なお、図８に示す実施形態における折り畳みコンテナ２０は矩形状の口枠２２に開閉自在な開閉蓋３１を設けたものが示してあるが、開閉蓋３１は無くてもよいものである。
【００２４】
上記例は折り畳みコンテナ２０の側面にラベルホルダー５を取付けた例を示したが、非折り畳みタイプの一般のコンテナ２０の側面に本発明のラベルホルダー５を取付けてもよいものである。
【００２５】
コンテナ２０の側面に取付けられたラベルホルダー５には図１０乃至図１３に示すように、ラベル挿入保持用の小間隙２にラベル２０が差し込まれて保持される。ラベル挿入保持用の小間隙２にラベル２０を差し込むには以下のようにして行うものである。すなわち、ラベル挿入保持用の小間隙２の入口において湾曲したラベル挿入ガイド溝部６に沿うようにして差し込むことで、スムーズにラベル１２をラベル挿入保持用の小間隙２に挿入して保持させることができるものである。
【００２６】
この場合、弧状に湾曲したラベル挿入ガイド溝部６の上半分がラベル挿入保持用の小間隙２の入口よりも上方に位置し且つ弧状に湾曲したラベル挿入ガイド溝部６の下半分がラベル挿入保持用の小間隙２の入口よりも下方に位置していることで、ラベル１２をラベル挿入保持用の小間隙２の入口よりも上方において弧状に湾曲したラベル挿入ガイド溝部６の上半分に沿わせることができ、弧状に湾曲したラベル挿入ガイド溝部６に沿ってラベル１２をそのまま押し入れることで、ラベル挿入ガイド溝部６の下半分のラベル挿入保持用の小間隙２の入口よりも下方部分にスムーズに導入して、そのままスムーズにラベル挿入保持用の小間隙２内に差し込むことができるのである。これにより硬いラベル１２の差し込み挿入が簡単にできるのはもちろんのこと、薄くて柔らかく、丸まりやすいラベル１２であっても、上記のようにラベル挿入保持用の小間隙２の入口において湾曲したラベル挿入ガイド溝部６に沿うようにして差し込むことで、スムーズにラベル１２をラベル挿入保持用の小間隙２に挿入して保持させることができるものである。また、弧状に湾曲したラベル挿入ガイド溝部６の存在により、ラベル１２をラベル挿入保持用の小間隙２の隙間に挿入する際に、小間隙２の入口の背方に指先が入りうる隙間が形成されることになって、ラベル１２の挿入時に指先を湾曲したラベル挿入ガイド溝部６部分まで差し入れることができて、ラベル１２をより確実に挿入することができるものである。
【００２７】
上記のようにしてラベル１２を小間隙に挿入して保持した状態が図１０乃至図１３の状態であり、この状態で、ラベル挿入保持用の小間隙２に挿入されたラベル１２はラベル視認用の窓部３に対応する部分に運搬先、物品名等の各種情報を表示するための表示部１２ａとなっていて、ラベル視認用の窓部３を介して表示部１２に表示された情報を確認することができるようになっている。例えば、図７に示すように、集配センター或いは工場内等でコンベア２９上にコンテナ２０に収納物を入れて移送する際に、コンベア２９の側方から目視又は光電発信装置３０等による自動読み取り装置により読み取って、搬送先や商品名等をチェックするものである。
【００２８】
一方、ラベル１２を取り外すに当たっては、窓部３から指を入れて、該指をラベル１２の上からラベル挿入ガイド溝部６に交差した指掛用縦溝部７に押し当て、押し当てたままの状態で指を上方に移動することでラベル挿入保持用の小間隙２からラベル１２を取り出すことができるものである。この場合、指をラベル１２の上から指掛用縦溝部７に押し当てると、指掛用縦溝部７部分でラベル１２が指掛用縦溝部７の底に沿うように変形して指掛用縦溝部７の底に強く押し当てられ、この状態で上方に移動させられることになって、ラベル１２をスムーズに取り出すことができるものである。
【００２９】
また、指掛用縦溝部７の底がラベル挿入ガイド溝部６の底よりも若干深くなっていることで、指をラベル１２の上から指掛用縦溝部７に押し当てると、指掛用縦溝部７部分でラベル１２が指掛用縦溝部７の底に沿うように変形し、この指の押し当てによるラベル１２の変形がラベル挿入ガイド溝部６と交差する部分においても生じ、これによりラベル挿入ガイド溝部６に邪魔されることなく指でラベル１２を指掛用縦溝部７の底に強く押し当てて上方に移動させることができることになる。
【００３０】
また、指掛用縦溝部７内の両側部を溝底側に向かって傾斜した傾斜面７ａとして指掛用縦溝部７を溝底側が巾狭で前方開口側が巾広としてあるので、指をラベル１２を介して指掛用縦溝部７の内面にぴったりと押し当てることができるものであり、これにより、指でラベル１２を指掛用縦溝部７の底面及び側面に強く押し当てて上方に移動させることができて、より確実にラベル１２を指で押し当てて引き上げることができるものである。
【００３１】
【発明の効果】
上記のように本発明の請求項１記載の発明にあっては、背面板の前方にラベル挿入保持用の小間隙を介してラベル視認用の窓部を有する前面枠を配設したラベルホルダーであって、ラベル挿入保持用の小間隙の入口付近において、背面板の前面部の横方向の全長にわたり縦断面が湾曲したラベル挿入ガイド溝部を形成し、窓部に対向する背面板の前面部の部位にラベル挿入ガイド溝部に交差した指掛用縦溝部を設けてあるので、ラベル挿入保持用の小間隙の入口から硬いラベルを差し込み挿入することができるのはもちろんのこと、薄くて柔らかいラベルであっても、ラベル挿入保持用の小間隙の入口において湾曲したラベル挿入ガイド溝部に沿うようにして差し込むことで、スムーズにラベルをラベル挿入保持用の小間隙に挿入して保持させることができ、特に、丸まったラベルであっても湾曲したラベル挿入ガイド溝部をガイドとしてスムーズに差し込むことができるものであり、また、ラベル挿入保持用の小間隙に挿入保持させたラベルを取り外す際、指をラベルの上からラベル挿入ガイド溝部に交差した指掛用縦溝部に押し当てることで、ラベルを指掛用縦溝部において変形させて強く押し付けた状態で上方に移動させることができ、これにより指でラベルを押さえながらラベルを簡単且つ確実に上方に移動させて取り出すことができるものである。
【００３２】
また、請求項２記載の発明にあっては、上記請求項１記載の発明の効果に加えて、指掛用縦溝部の底がラベル挿入ガイド溝部の底よりも深いので、指をラベルの上からラベル挿入ガイド溝部に交差した指掛用縦溝部に押し当てると、指掛用縦溝部部分でラベルが指掛用縦溝部の底に沿うように変形し、この指の押し当てによるラベルの変形がラベル挿入ガイド溝部と交差する部分においても生じ、これによりラベルを挿入しやすいようにするためにラベル挿入ガイド溝部を設けたといえども、指でラベルを指掛用縦溝部の底に強く押し当ててより簡単且つ確実に上方に移動させて取り出すことができるものである。
【００３３】
また、請求項３記載の発明にあっては、上記請求項１又は請求項２記載の発明の効果に加えて、指掛用縦溝部内の両側部を溝底側に向かって傾斜した傾斜面として指掛用縦溝部を溝底側が巾狭で前方開口側が巾広とするので、指をラベルを介して指掛用縦溝部の内面にぴったりと押し当てることができて、指でラベルを指掛用縦溝部の底面及び側面に強く押し当ててより確実にラベルを上方に移動させて簡単に取り出すことができるものである。
【００３４】
また、請求項４記載の発明にあっては、上記請求項１記載の発明の効果に加えて、背面板の下端と前面枠の下端とをヒンジ部を介して折り曲げ自在に連結し、背面板乃至前面枠のいずれか一方に設けた位置決め突部をいずれか他方に設けた位置決め凹部に嵌め込んで背面板と前面枠との間にラベル挿入保持用の小間隙を形成するので、ヒンジ部で背面板と前面枠とを折り曲げるとともに位置決め突部を位置決め凹部に嵌め込むことで、背面板と前面枠との位置決めをして正確な隙間巾となったラベル挿入保持用の小間隙を有するラベルホルダーを簡単に構成することができるものである。
【図面の簡単な説明】
【図１】本発明のラベルホルダーの正面図である。
【図２】図１のＸ1−Ｘ1線の断面図である。
【図３】図１のＸ2−Ｘ2線の断面図である。
【図４】図１のＸ3−Ｘ3線の断面図である。
【図５】同上のラベルホルダーの展開状態を示し、（ａ）は正面図であり、（ｂ）は平面図であり、（ｃ）は側面図である。
【図６】同上のラベルホルダーの展開状態を示す背面図である。
【図７】同上のラベルホルダーを折り畳みコンテナに取付けてコンベア上を搬送している状態を示す概略斜視図である。
【図８】（ａ）は同上の折り畳みコンテナの一例を示す組み立て状態の斜視図であり、（ｂ）は折り畳み状態の斜視図である。
【図９】同上の折り畳みコンテナの側面の凹みにラベルホルダーを取付けた状態の断面図である。
【図１０】同上のラベルホルダーにラベルを挿入保持した状態の正面図である。
【図１１】図１０のＹ1−Ｙ1線の断面図である。
【図１２】図１０のＹ2−Ｙ2線の断面図である。
【図１３】図１０のＹ3−Ｙ3線の断面図である。
【符号の説明】
１  背面板
２  小間隙
３  窓部
４  前面枠
５  ラベルホルダー
６  ラベル挿入ガイド溝部
７  指掛用縦溝部
７ａ  傾斜面
９  位置決め突部
１０  位置決め凹部
１１  ヒンジ部
１２  ラベル
【図１】
0004213824.tif 000002
【図２】
0004213824.tif 000003
【図３】
0004213824.tif 000004
【図４】
0004213824.tif 000005
【図５】
0004213824.tif 000006
【図６】
0004213824.tif 000007
【図７】
0004213824.tif 000008
【図８】
0004213824.tif 000009
【図９】
0004213824.tif 000010
【図１０】
0004213824.tif 000011
【図１１】
0004213824.tif 000012
【図１２】
0004213824.tif 000013
【図１３】
0004213824.tif 000014